(57)【要約】      （修正有）【課題】ソーラー発電による所望の取得量を得ることを可能とすることのできるソーラー発電仲介システムを提供する。【解決手段】太陽エネルギーから電力を創り出す場所および施設の提供側と入手側との仲介を行うソーラー発電仲介システム１０である。提供側が所有する複数のソーラー発電システムＳの照射面に設定された区画Ｐ毎のソーラー発電による予測取得量に関する取得量データを格納するデータベース部２１と、データベース部２１からの取得量データの取得が可能であるとともに、入手側のソーラー発電による所望取得量Ｇｗが指定される端末機３０との通信が可能な演算制御部２２と、を備え、演算制御部２２は、端末機３０で所望取得量Ｇｗが指定されると、データベース部２１の取得量データに基づいて、各ソーラー発電システムＳの各区画Ｐの中から、合算した予測取得量が所望取得量Ｇｗに適合する各区画Ｐの組み合わせを算出する。【選択図】図１
2014016756.tif 000002
【特許請求の範囲】
【請求項１】
太陽エネルギーから電力を創り出す場所および施設の提供側と入手側との仲介を行うソーラー発電仲介システムであって、
前記提供側が所有する複数のソーラー発電システムの照射面に設定された区画毎のソーラー発電による予測取得量に関する取得量データを格納するデータベース部と、
該データベース部からの前記取得量データの取得が可能であるとともに、前記入手側のソーラー発電による所望取得量が指定される端末機との通信が可能な演算制御部と、を備え、
該演算制御部は、前記端末機で前記所望取得量が指定されると、前記データベース部の前記取得量データに基づいて、前記各ソーラー発電システムの前記各区画の中から、合算した前記予測取得量が前記所望取得量に適合する前記各区画の組み合わせを算出することを特徴とするソーラー発電仲介システム。
【請求項２】
前記所望取得量は、創り出す電力量、または創り出した電力の売却による収益で指定することを特徴とする請求項１に記載のソーラー発電仲介システム。
【請求項３】
前記取得量データは、前記照射面が設置された設置位置を示す設置位置情報を有し、
前記演算制御部は、前記照射面への予測日射量および予測日照時間に基づいて前記予測取得量を算出することを特徴とする請求項１または請求項２に記載のソーラー発電仲介システム。
【請求項４】
前記ソーラー発電システムでは、設置したソーラーパネルにより前記照射面が規定され、
前記演算制御部は、前記照射面への予測日射量および予測日照時間に加えて、該当する前記照射面を規定する前記ソーラーパネルに関する機器情報に基づいて前記予測取得量を算出することを特徴とする請求項３に記載のソーラー発電仲介システム。
【請求項５】
前記ソーラー発電システムでは、ソーラーパネルを設置するための設置構造により前記照射面が規定されていることを特徴とする請求項３または請求項４に記載のソーラー発電仲介システム。
【請求項６】
前記ソーラー発電システムでは、ソーラーパネルを設置するための設置可能面積により前記照射面が規定されていることを特徴とする請求項３から請求項５のいずれか１項に記載のソーラー発電仲介システム。
【請求項７】
前記取得量データは、前記各ソーラー発電システムの情報を示す発電システム情報を有することを特徴とする請求項１から請求項６のいずれか１項に記載のソーラー発電仲介システム。
【請求項８】
前記端末機では、前記所望取得量に加えて、前記入手側の入手のための予算を指定することができ、
前記演算制御部は、前記端末機で前記予算が指定されると、指定された予算の範囲内で合算した予測取得量が前記所望取得量に適合する前記各区画の組み合わせを算出することを特徴とする請求項１から請求項７のいずれか１項に記載のソーラー発電仲介システム。
【発明の詳細な説明】
【技術分野】
【０００１】
本発明は、ソーラー発電による取得量の仲介を行うソーラー発電仲介システムに関する。
【背景技術】
【０００２】
近年、太陽エネルギーを電力に変換するソーラー発電を家庭等で行うことが考えられている。このようなソーラー発電を行う場合、光エネルギーを直接電力に変換する電力機器である太陽電池（セル）を、複数枚並べつつそれらを接続して構成されたパネル状のソーラーパネルを用いることが知られている（例えば、特許文献１参照）。そのソーラーパネルでは、自らに注ぐ太陽光から電力を創ることができ、その電力を設置した施設（家庭等）で利用したり電力会社等に売ったりすることができる。
【先行技術文献】
【特許文献】
【０００３】
【特許文献１】特開２０１２−１０７４４９号公報
【発明の概要】
【発明が解決しようとする課題】
【０００４】
ここで、ソーラーパネルでは、相応の発電量を確保するためには相応の大きさ寸法が必要であるので、相応の設置面積が必要となる。また、ソーラーパネルでは、相応の発電量を確保するために、太陽光が良好に当たる条件化に設置する必要がある。これらのことから、ソーラーパネルは、一般的に建物の屋根や屋上に設置することが考えられているが、設置する場所を確保することが困難であったり、設置場所を確保できたとしても良好な設置面積や設置条件を得るのが困難であったりしてしまう。
【０００５】
本発明は、上記の事情に鑑みて為されたもので、ソーラー発電による所望の取得量を得ることを可能とするソーラー発電仲介システムを提供することにある。
【課題を解決するための手段】
【０００６】
請求項１に記載のソーラー発電仲介システムは、太陽エネルギーから電力を創り出す場所および施設の提供側と入手側との仲介を行うソーラー発電仲介システムであって、前記提供側が所有する複数のソーラー発電システムの照射面に設定された区画毎のソーラー発電による予測取得量に関する取得量データを格納するデータベース部と、該データベース部からの前記取得量データの取得が可能であるとともに、前記入手側のソーラー発電による所望取得量が指定される端末機との通信が可能な演算制御部と、を備え、該演算制御部は、前記端末機で前記所望取得量が指定されると、前記データベース部の前記取得量データに基づいて、前記各ソーラー発電システムの前記各区画の中から、合算した前記予測取得量が前記所望取得量に適合する前記各区画の組み合わせを算出することを特徴とする。
【発明の効果】
【０００７】
請求項１に記載のソーラー発電仲介システムでは、ソーラー発電による所望の取得量を得ることを可能とすることができる。
【図面の簡単な説明】
【０００８】
【図１】本発明に係るソーラー発電仲介システムの一例としてのソーラー発電仲介システム１０の概要を示す説明図である。
【図２】ソーラー発電仲介システム１０の演算処理機２０のデータベース部２１に記憶されるデータとしての発電システム情報Ｉｓの一例を示す説明図である。
【図３】端末機３０の表示部３３における入力用画面４０の一例を示す説明図である。
【図４】実施例における演算制御部２２（演算処理機２０）にて実行される仲介処理内容を示すフローチャートである。
【図５】端末機３０の表示部３３における検索結果画面５０（５０１）の一例を示す説明図である。
【図６】表示部３３における図５に示す状態から絞り込んだ後の検索結果画面５０（５０２）の一例を示す説明図である。
【図７】表示部３３における図６に示す状態から絞り込んだ後の検索結果画面５０（５０３）の一例を示す説明図である。
【発明を実施するための形態】
【０００９】
以下に、本願発明に係るソーラー発電仲介システムの実施例について図面を参照しつつ説明する。
【実施例】
【００１０】
本発明に係るソーラー発電仲介システムの一実施例としてのソーラー発電仲介システム１０の概略的な構成を、図１から図７を用いて説明する。その図１は、本発明に係るソーラー発電仲介システムの一例としてのソーラー発電仲介システム１０の概要を示す説明図である。図２は、ソーラー発電仲介システム１０の演算処理機２０のデータベース部２１に記憶されるデータとしての発電システム情報Ｉｓの一例を示す説明図である。図３は、端末機３０の表示部３３における入力用画面４０の一例を示す説明図である。
【００１１】
まず、ソーラー発電仲介システムの一実施例としてのソーラー発電仲介システム１０の概要を、図１を用いて説明する。ソーラー発電仲介システム１０は、太陽エネルギーから電力を創り出す場所および施設（後述するソーラー発電システムＳ）を所有する提供側と、その場所および施設を入手したい入手側との仲介を行うものである。このソーラー発電仲介システム１０では、提供側の後述する複数のソーラー発電システムＳ（図１では符号Ｓ１、Ｓ２、Ｓ３の３つのみ示す）におけるそれぞれの区画Ｐ（Ｐ１、Ｐ２等）の中から、合算した予測取得量が入手側の求め（後述する所望取得量Ｇｗ）に適合する各区画Ｐの組み合わせを算出し、その算出した情報を入手側（後述する端末機３０）へと出力するものである。
【００１２】
ソーラー発電仲介システム１０では、提供側として、複数のソーラー発電システムＳ（図１では符号Ｓ１、Ｓ２、Ｓ３の３つのみを示す）が登録されている。その各ソーラー発電システムＳは、基本的に等しい構成とされていることから、以下では、単にソーラー発電システムＳを用いて、構成および基本的な作用を説明する。なお、各ソーラー発電システムＳを個別に示す際には、語頭に第ｎ（ｎは自然数）を付して示すとともに、符号Ｓの末尾にｎを付して示す。
【００１３】
この各ソーラー発電システムＳは、施主（所有者）自身が太陽エネルギーから創り出した電力を利用したり電力会社等に売ったりすることに替えて、太陽エネルギーから電力を創り出す場所および施設を後述するように区画Ｐ単位で提供するために設けられている。そのソーラー発電システムＳは、上記した場所および施設を提供するためのものであれば、自らが所有する土地や建物の屋根（屋上）に設置するものであってもよく、他の物が所有する土地に設置するものであってもよく、他の者が所有する建物の屋根（屋上）に設置するものであってもよい。他の者が所有する建物の屋根（屋上）に設置する場合、施主（所有者）は、土地や建物（その屋根（屋上））自体を取得している必要はなく、土地や建物の屋根（屋上）へのソーラー発電システムＳを設置する権利を取得しているものであればよいことは言うまでもない。このことから、施主（所有者）としては、上記した場所および施設の提供を業務とすべく自らが所有する土地や建物の屋根（屋上）にソーラー発電システムＳを設置した者や、自らが生活する建物の屋根（屋上）にソーラー発電システムＳを設置した者や、他の者が所有する建物の屋根（屋上）へのソーラー発電システムＳの設置の権利を取得した者（所謂、屋根貸し業者）等が考えられる。
【００１４】
このソーラー発電システムＳは、ソーラーパネル１１とパワーコンディショナ１２（以下、パワコン１２という）と電力計１３と出力線１４とを有する。ソーラーパネル１１は、光エネルギーを直接電力に変換する電力機器である太陽電池（セル）を、複数枚並べつつそれらを接続してパネル状に構成したものである。このため、図１の例のソーラー発電システムＳでは、ソーラーパネル１１が照射された太陽光を浴びる（受ける）照射面を規定している。
【００１５】
このソーラーパネル１１では、複数の区画Ｐが設定されている。すなわち、図１に示す例では、第１ソーラー発電システムＳ１のソーラーパネル１１が第１区画Ｐ１と第２区画Ｐ２とに区分けされており、第２ソーラー発電システムＳ２のソーラーパネル１１が第１区画Ｐ１と第２区画Ｐ２とに区分けされており、第３ソーラー発電システムＳ３のソーラーパネル１１が第１区画Ｐ１と第２区画Ｐ２と第３区画Ｐ３とに区分けされている。この各区画Ｐでは、同一のソーラー発電システムＳであっても、後述する設置機器情報Ｉｍや契約情報Ｉｄ等が等しいものとは限らない。すなわち、各区画Ｐでは、同一のソーラー発電システムＳで設定されたものであるか互いに異なるソーラー発電システムＳで設定されたものであるかに拘らず、後述するソーラー発電による予測取得量Ｇｐが異なるものと等しいものとがある。その各区画Ｐは、基本的に等しく取り扱うとともにそれぞれの後述する発電システム情報Ｉｓ（図２参照）としての項目が等しいものとされていることから、以下では、単に区画Ｐを用いて説明する。なお、各区画Ｐを個別に示す際には、語頭に第ｎ（ｎは自然数）を付して示すとともに、符号Ｓの末尾にｎを付して示す。
【００１６】
このソーラー発電システムＳでは、区画Ｐ毎にパワコン１２を介して電力計１３が設けられている。その各パワコン１２は、ソーラー発電用のパワーコンディショナであり、ソーラーパネル１１で発電された直流電力を交流電力に変換する。各電力計１３は、ソーラーパネル１１の対応する区画Ｐにより発電されパワコン１２を介して入力された電力量を計測する。このことから、ソーラー発電システムＳでは、区画Ｐ毎の発電量を取得することができる。その各電力計１３は、単一の出力線１４に接続されており、その出力線１４を介してソーラーパネル１１で発電した電力を出力することができる。この出力線１４は、図示は略すが、例えば、既存の配電路を介して電力会社等に接続されている。
【００１７】
このような構成としているのは、ソーラー発電仲介システム１０では、提供側の各ソーラー発電システムＳの照射面（本実施例ではソーラーパネル１１）全体を一括して扱うのではなく、そこに設定した区画Ｐ単位で扱うことにより、入手側の求め（ソーラー発電による所望取得量Ｇｗ）に適合するソーラー発電による予測取得量Ｇｐを得ることを可能とすることによる。このため、ソーラー発電仲介システム１０では、各ソーラー発電システムＳの各区画Ｐにおける予測取得量Ｇｐを個別に取り扱う。この取り扱いを可能とすべく、ソーラー発電仲介システム１０では、後述するように、各ソーラー発電システムＳの各区画Ｐに対応する発電システム情報Ｉｓ（図２参照）を用いる。この発電システム情報Ｉｓ、ソーラー発電による所望取得量Ｇｗおよびソーラー発電による予測取得量Ｇｐについては後述する。
【００１８】
ソーラー発電仲介システム１０は、演算処理機２０と入手側の複数の端末機３０とがネットワーク接続可能とされて構成されている。その演算処理機２０は、データベース部２１と演算制御部２２と記憶部２３とを有する。データベース部２１は、後述する発電システム情報Ｉｓ（図２参照）を適宜格納するものである。このデータベース部２１に格納された発電システム情報Ｉｓは、演算制御部２２により適宜取得可能とされている。その発電システム情報Ｉｓは、予めデータベース部２１に格納（登録）しておくものであってもよく、各ソーラー発電システムＳを所有する提供側（施主（所有者））が、図示は略すが入手側と同様の端末機を用いて演算処理機２０にアクセスし、その演算制御部２２を介してデータベース部２１に登録可能な構成としてもよい。このデータベース部２１は、本実施例では、演算処理機２０の内部に設けられているが、上記した機能を有するものであれば、演算処理機２０の外部に設けるものであってもよい。
【００１９】
その演算制御部２２は、記憶部２３に格納されたプログラムによりデータベース部２１および記憶部２３を含む演算処理機２０の動作を統括的に制御する。演算制御部２２は、自らにアクセスしてきた端末機３０の後述する端末制御部３１との通信（データの遣り取り）が可能とされている。この通信は、インターネットを利用するものであってもよく、他の通信手段を用いるものであってもよい。演算制御部２２は、端末制御部３１からの後述する入力情報Ｉｉに応じて選別処理を行う機能（選別処理機能）と、その選別処理に基づく適合案件情報Ｉａを生成する機能と、を有する。この選別処理機能および適合案件情報Ｉａについては後に説明する。また、演算制御部２２は、生成した適合案件情報Ｉａを記憶部２３に格納する機能を有する。さらに、演算制御部２２は、自らにアクセスしてきた端末機３０（その表示部３３）に入力情報Ｉｉの入力のための入力用画面４０（図３参照）を表示させる機能や、適合案件情報Ｉａを表す検索結果画面５０（図５から図７等参照）を表示させる機能を有する。
【００２０】
記憶部２３には、演算制御部２２における動作のためのプログラムが格納されているとともに、演算制御部２２により生成された後述する適合案件情報Ｉａが格納される。この格納された適合案件情報Ｉａは、演算制御部２２が適宜取得することが可能とされている。
【００２１】
その演算制御部２２（演算処理機２０）では、入手側としての端末機３０によるアクセスが可能とされている。その端末機３０は、端末制御部３１と入力部３２と表示部３３とを有する。この端末制御部３１は、その記憶部（図示せず）に格納されたプログラムにより端末機３０を統括的に制御するものであり、演算処理機２０の演算制御部２２とのデータの遣り取りが可能とされている。入力部３２は、入手側利用者による入力操作が可能とされており、後述する所望取得量Ｇｗを含む入力情報Ｉｉの設定を行うことができる。また、入力部３２は、入手側利用者による入力操作により、演算制御部２２における選別処理機能により生成された各適合案件情報Ｉａの中からいずれかを最終選択することができる。本実施例では、この最終選択を検索結果画面５０（図５から図７参照）で行うものとしている。この最終選択とは、登録された各ソーラー発電システムＳの各区画Ｐの中からの絞り込みが完了し、複数の区画Ｐの組み合わせ（後述するように単独の区画Ｐである場合も含む）を、入手対象として選択することをいう。表示部３３は、端末制御部３１の制御下で、入力部３２での入力情報Ｉｉの設定のための表示画像（入力用画面４０（図３参照））や、演算処理機２０から送信された検索結果表示画像（検索結果画面５０（図５から図７参照））を表示する。
【００２２】
次に、演算処理機２０のデータベース部２１に格納される発電システム情報Ｉｓについて、図２（この図２では第１ソーラー発電システムＳ１の例を示す）を用いて説明する。発電システム情報Ｉｓは、提供側が所有する各ソーラー発電システムＳに関する入手側が求める情報であり、各ソーラー発電システムＳの各区画Ｐにおける後述する予測取得量Ｇｐの認識を可能するために必要な情報を含むものである。その発電システム情報Ｉｓは、本実施例では、設置位置情報Ｉｌと設置機器情報Ｉｍと施主情報Ｉｏと契約情報Ｉｄとを有する。
【００２３】
設置位置情報Ｉｌとは、ソーラー発電システムＳすなわちソーラーパネル１１が設置された地域（本実施例では都道府県）や、その地域内での設置場所（本実施例では市町村）等である。これは、地域やその地域内での設置場所により、日射量や日照時間が異なることから、ソーラー発電システムＳにおける後述する予測取得量Ｇｐに影響が及ぶことによる。このため、本実施例では、設置位置情報Ｉｌとして、地域および設置場所の情報に加えて、当該設置場所における日射量や日照時間の過去の気象データに基づく平均値（年間および月別）のデータを格納している。このことから、設置位置情報Ｉｌは、同一のソーラー発電システムＳであれば、区画Ｐの差異に拘らず等しいものとなる。
【００２４】
設置機器情報Ｉｍとは、ソーラー発電システムＳの該当する区画Ｐにおける製品情報や、該当する区画Ｐにおけるソーラーパネル１１の設置状態情報等である。そのソーラー発電システムＳの製品情報とは、該当する区画Ｐに用いられたソーラーパネル１１の製造会社、そのソーラーパネル１１の定格値および使用年数、該当する区画Ｐにおけるソーラーパネル１１の面積、該当する区画Ｐに用いられたパワコン１２の製造会社等である。また、ソーラーパネル１１の設置状態情報とは、該当する区画Ｐにおけるソーラーパネル１１（ソーラー発電システムＳの照射面）が向けられた方角や、ソーラーパネル１１（照射面）の水平面に対する傾斜角度や、ソーラーパネル１１が設置された箇所（例えば、地上であるのか、屋根（屋上）であるのか、水上であるのか等）等である。
【００２５】
施主情報Ｉｏとは、ソーラー発電システムＳの施主（所有者）に関する情報であり、本実施例では、施主（所有者）の発電規模とされている。これは、発電規模に応じて、電力の売電価格（電力会社等が買い取る価格）が異なる場合があることによる。
【００２６】
契約情報Ｉｄとは、ソーラー発電システムＳの該当する区画Ｐにおける契約タイプおよびそれぞれに対する価格の情報である。この契約情報Ｉｄは、本実施例では、ソーラー発電システムＳの該当する区画Ｐが売却対象であるのか、賃貸対象（この場合は契約年数も含む）であるのか、共同事業形態であるのか、を示すものとしており、その契約タイプに応じた価格のデータを併せて格納している。
【００２７】
次に、各端末機３０の入力部３２で設定される入力情報Ｉｉについて、図３を用いて説明する。この入力情報Ｉｉは、基本的には、入手側利用者が求めるソーラー発電による所望取得量Ｇｗを示すものである。このソーラー発電による所望取得量Ｇｗは、各ソーラー発電システムＳの各区画Ｐの中からどのくらいの規模を入手すれば良いかの判断基準とするものであり、ソーラー発電により創り出される電力量、もしくはソーラー発電で発電した電力を売却することにより得られる収益をいう。
【００２８】
各端末機３０は、本実施例では、端末制御部３１が演算処理機２０の演算制御部２２からの指令に基づいて、表示部３３に各入力情報Ｉｉの入力のための入力用画面４０を表示させる。この入力用画面４０は、入手側利用者による各入力情報Ｉｉの入力を簡易なものとするものであり、ソーラー発電による所望取得量Ｇｗ（発電量または収益）を指定するための取得量指定部４１を有する。この取得量指定部４１では、明確な図示は略すが、発電量と収益とのいずれかの選択が可能とされており、その選択の後、選択に応じた数値を指定することができる。取得量指定部４１では、明確な図示は略すが、数値を入力することによる指定と、一覧表示の中からの選択による指定とが可能とされている。
【００２９】
また、入力用画面４０は、本実施例では、上述した取得量指定部４１に加えて、予算指定部４２と、地域指定部４３と、メーカー指定部４４と、契約タイプ指定部４５と、を有する。この取得量指定部４１を除く各指定部は、入手側利用者による選択方法の自由度を高めるとともに、所望取得量Ｇｗの指定のみでは絞りきれない候補の数を入手側利用者の要望に応じて絞るために設けられている。この各指定部では、明確な図示は略すが、数値や名称を入力することにより指定することができるとともに、一覧表示の中からの選択により指定することができる。
【００３０】
予算指定部４２は、入手側利用者が複数の区画Ｐを入手するための予算を指定するものである。地域指定部４３は、入手側利用者が入手したい複数の区画Ｐが設けられたソーラー発電システムＳの設置場所を指定するものである。メーカー指定部４４は、ソーラーパネル１１の製造会社を指定するものである。契約タイプ指定部４５は、入手側利用者が入手する際の契約タイプを指定するものである。
【００３１】
各端末機３０の入力部３２では、取得量指定部４１による所望取得量Ｇｗの指定に加えて、上記した各入力情報Ｉｉのうちの所望の項目を指定した後（指定しなくても良い）、入力完了の操作をすることで、その指定した入力情報Ｉｉを端末制御部３１（端末機３０）から演算処理機２０の演算制御部２２へと出力することができる（図１参照）。
【００３２】
その演算処理機２０の演算制御部２２は、図１に示すように、この端末機３０から入力情報Ｉｉが入力されると、その入力情報Ｉｉに応じてデータベース部２１に格納された発電システム情報Ｉｓに基づく選別処理を行う（選別処理機能）。この選別処理機能では、対象とする各ソーラー発電システムＳの各区画Ｐの中から、当該入力情報Ｉｉが示す条件に適合する全てのものを適合案件情報Ｉａとして選択する。この適合案件情報Ｉａは、入力情報Ｉｉが示す条件に適合するものであれば、複数の区画Ｐの組み合わせからなる場合もあり、後述するように単独の区画Ｐである場合もある。ここで、複数の区画Ｐの組み合わせとは、同一のソーラー発電システムＳの区画Ｐの組み合わせであるか複数のソーラー発電システムＳの区画Ｐの組み合わせであるかを問わないものである。選別処理機能では、データベース部２１に格納される発電システム情報Ｉｓに基づいて、各適合案件情報Ｉａを生成する。演算制御部２２における各適合案件情報Ｉａの生成すなわち選別処理について、以下で説明する。
【００３３】
演算制御部２２は、選別処理において、基本的には、入力情報Ｉｉのうち取得量指定部４１で指定されたソーラー発電による所望取得量Ｇｗすなわち発電量または収益が得られるように、発電システム情報Ｉｓに基づいて各適合案件情報Ｉａを生成する。すなわち、演算制御部２２は、対象とする各ソーラー発電システムＳの各区画Ｐのソーラー発電による予測取得量Ｇｐ（予測発電量または予測収益）に基づいて、指定された所望取得量Ｇｗ（発電量または収益）と適合する各区画Ｐの組み合わせを算出して適合案件情報Ｉａを生成する。そのソーラー発電による予測取得量Ｇｐとは、各ソーラー発電システムＳの各区画Ｐの入手のための判断基準とするものであり、所望取得量Ｇｗに対応して該当する区画Ｐにおいて、ソーラー発電により作り出されることが予測される予測電力量、もしくはソーラー発電で発電した電力を売却することにより得られることが予測される予測収益をいう。
【００３４】
演算制御部２２は、本実施例では、合算した予測取得量Ｇｐが、指定された所望取得量Ｇｗ（発電量または収益）との差が所定の数値のパーセンテージ（例えば５％）以内となる各区画Ｐの組み合わせを算出することにより、指定された所望取得量Ｇｗと適合する各区画Ｐの組み合わせの算出を行う。これにより、演算制御部２２は、所望取得量Ｇｗ（指定された発電量または収益）に適合する、すなわち予測発電量（予測収益）を合算した値が指定された発電量（収益）と近くなる各区画Ｐの組み合わせを算出することができ、その各区画Ｐの組み合わせの情報を適合案件情報Ｉａとして生成する。なお、合算した予測取得量Ｇｐが、指定された所望取得量Ｇｗ（指定された発電量または収益）に近いものから所定の個数（例えば２０個）を算出することにより、指定された所望取得量Ｇｗと適合する各区画Ｐの組み合わせの算出を行うものであってもよい。ここで、指定された所望取得量Ｇｗ（指定された発電量または収益）によっては、対象とする各ソーラー発電システムＳの各区画Ｐのいずれか１つの予測取得量Ｇｐが当該所望取得量Ｇｗと適合する場合もあることから、指定された所望取得量Ｇｗと適合するものとして単独の区画Ｐを算出し、当該区画Ｐの情報が適合案件情報Ｉａとなる場合もある。また、指定された所望取得量Ｇｗ（指定された発電量または収益）や他の入力情報Ｉｉによっては、指定された所望取得量Ｇｗと適合するものとして単一のソーラー発電システムＳの全ての区画Ｐを算出し、当該区画Ｐの情報（当該ソーラー発電システムＳの情報）が適合案件情報Ｉａとなる場合もある。
【００３５】
その予測発電量は、例えば、発電システム情報Ｉｓの設置位置情報Ｉｌにおけるソーラー発電システムＳ（ソーラーパネル１１）が設置された地域や、その地域内での設置場所における日射量や日照時間のデータと、発電システム情報Ｉｓの設置機器情報Ｉｍにおけるソーラーパネル１１の面積のデータと、に基づいて、大まかな値を算出することができる。また、その情報に加えて、発電システム情報Ｉｓの設置機器情報Ｉｍにおけるソーラーパネル１１の製造会社、定格値および使用年数のデータや、パワコン１２の製造会社のデータや、ソーラーパネル１１の設置状態情報（そのデータ）を、適宜勘案することにより、より詳細な値を算出することができる。
【００３６】
予測収益は、その予測発電量に基づいて算出することができる。ここで、地域により売電価格が異なる場合には、発電システム情報Ｉｓの設置位置情報Ｉｌにおけるソーラー発電システムＳ（ソーラーパネル１１）が設置された地域のデータを併せて用いればよい。また、施主（所有者）の発電規模に応じて電力の売電価格が異なる場合には、発電システム情報Ｉｓの施主情報Ｉｏのデータを併せて用いればよい。
【００３７】
このことから、本実施例では、発電システム情報Ｉｓの設置位置情報Ｉｌにおけるソーラー発電システムＳ（ソーラーパネル１１）が設置された地域や、その地域内での設置場所における日射量や日照時間のデータ、発電システム情報Ｉｓの設置機器情報Ｉｍにおけるソーラーパネル１１の面積のデータ、発電システム情報Ｉｓの設置機器情報Ｉｍにおけるソーラーパネル１１の製造会社、定格値および使用年数のデータ、パワコン１２の製造会社のデータ、およびソーラーパネル１１の設置状態情報（そのデータ）が、データベース部２１に格納された予測取得量Ｇｐに関する取得量データとして機能する。また、上述したように地域により売電価格が異なる場合には、発電システム情報Ｉｓの設置位置情報Ｉｌにおけるソーラー発電システムＳ（ソーラーパネル１１）が設置された地域のデータも、データベース部２１に格納された予測取得量Ｇｐに関する取得量データとして機能する。さらに、上述したように施主（所有者）の発電規模に応じて電力の売電価格が異なる場合には、発電システム情報Ｉｓの施主情報Ｉｏのデータも、データベース部２１に格納された予測取得量Ｇｐに関する取得量データとして機能する。
【００３８】
これに加えて、演算制御部２２は、選別処理において、予算指定部４２で予算が指定されると、発電システム情報Ｉｓの契約情報Ｉｄにおける価格の情報に基づいて、指定された予算の範囲内で、予測発電量を合算した値が所望取得量Ｇｗとして指定された発電量と可能な限り近くなる、もしくは予測収益を合算した値が所望取得量Ｇｗとして指定された収益と可能な限り近くなるように、適合案件情報Ｉａ（複数の区画Ｐの組み合わせの情報）を生成する。
【００３９】
また、演算制御部２２は、選別処理において、地域指定部４３で地域が指定されると、発電システム情報Ｉｓの設置位置情報Ｉｌにおけるソーラー発電システムＳ（ソーラーパネル１１）が設置された地域のデータを用いて、指定された地域の中の各ソーラー発電システムＳから、予測発電量（予測収益）を合算した値が所望取得量Ｇｗとして指定された発電量（収益）と適合する適合案件情報Ｉａ（複数の区画Ｐの組み合わせの情報）を生成する。
【００４０】
さらに、演算制御部２２は、選別処理において、メーカー指定部４４でソーラーパネル１１の製造会社が指定されると、発電システム情報Ｉｓの設置機器情報Ｉｍにおけるソーラーパネル１１の製造会社のデータを用いて、各ソーラー発電システムＳの各区画Ｐの中から、指定された製造会社のソーラーパネル１１を用いている複数の区画Ｐを選択し、その中から予測発電量（予測収益）を合算した値が所望取得量Ｇｗとして指定された発電量（収益）と適合する適合案件情報Ｉａ（複数の区画Ｐの組み合わせの情報）を生成する。
【００４１】
演算制御部２２は、選別処理において、契約タイプ指定部４５で契約タイプが指定されると、発電システム情報Ｉｓの契約情報Ｉｄにおけるソーラー発電システムＳの各区画Ｐにおける契約タイプのデータを用いて、各ソーラー発電システムＳの各区画Ｐの中から、指定された契約タイプに設定された複数の区画Ｐを選択し、その中から予測発電量（予測収益）を合算した値が所望取得量Ｇｗとして指定された発電量（収益）と適合する適合案件情報Ｉａ（複数の区画Ｐの組み合わせの情報）を生成する。
【００４２】
このように、演算制御部２２は、データベース部２１に格納された発電システム情報Ｉｓに基づいて、対象とする各ソーラー発電システムＳの各区画Ｐの中から、当該入力情報Ｉｉが示す条件に適合する全ての適合案件情報Ｉａを生成（全ての複数の区画Ｐの組み合わせ（上述したように単独の区画Ｐの場合もあり）の選択）する選別処理を行うことができる。その演算制御部２２は、各適合案件情報Ｉａ（選択した複数の区画Ｐの組み合わせの情報）を記憶部２３に格納するとともに、その各適合案件情報Ｉａを示す検索結果画面５０（図５から図７参照）を端末機３０（その表示部３３）に表示させる。その検索結果画面５０とは、各適合案件情報Ｉａすなわち選別処理により選択した全ての複数の区画Ｐの組み合わせの情報を表示するものである。この検索結果画面５０については、後に例を示して説明する。また、演算制御部２２は、記憶部２３に適合案件情報Ｉａが格納されていると、その適合案件情報Ｉａの中から、換言すると適合案件情報Ｉａとして選択された各ソーラー発電システムＳの各区画Ｐを対象として、上記した選別処理を行う。
【００４３】
なお、この選別処理の内容（選別方法）、発電システム情報Ｉｓの内容および入力情報Ｉｉの内容は、予測取得量Ｇｐを合算した値（合算した予測取得量）が、各端末機３０の入力部３２で指定された入力情報Ｉｉとしてのソーラー発電による所望取得量Ｇｗに、適合する各区画Ｐの組み合わせの算出を可能とするものであれば、それらの内容は適宜設定すればよく、本実施例に限定されるものではない。
【００４４】
次に、このソーラー発電仲介システム１０の演算処理機２０の演算制御部２２にて実行される仲介処理について説明する。この仲介処理は、登録された全てのソーラー発電システムＳの各区画Ｐの中から、入手側利用者の要求に最も適合する適合案件情報Ｉａ（複数の区画Ｐの組み合わせまたは単独の区画Ｐ）を算出するために行うものである。図４は、本実施例における演算制御部２２（演算処理機２０）にて実行される仲介処理内容を示すフローチャートである。以下、図４のフローチャートの各ステップについて説明する。このフローチャートは、いずれかの端末機３０からアクセスされることで開始する。
【００４５】
ステップＳ１では、アクセスしてきた端末機３０の端末制御部３１（図１参照）に対して、入力用画面４０（図３参照）をその表示部３３に表示させて、ステップＳ２へ進む。これにより、入手側利用者は、端末機３０の表示部３３の入力用画面４０にしたがって、入力部３２から各入力情報Ｉｉを入力することができる。
【００４６】
ステップＳ２では、ステップＳ１での入力用画面４０の表示に続き、端末制御部３１（端末機３０）から各入力情報Ｉｉが入力されたか否かを判断し、Ｙｅｓの場合はステップＳ３へ進み、Ｎｏの場合はステップＳ２へ戻る。
【００４７】
ステップＳ３では、ステップＳ２での各入力情報Ｉｉが入力されたとの判断に続き、入力用画面４０の取得量指定部４１によりソーラー発電による所望取得量Ｇｗが指定されたか否かを判断し、Ｙｅｓの場合はステップＳ４へ進み、Ｎｏの場合はステップＳ２へ戻る。このステップＳ３では、取得量指定部４１により、ソーラー発電により作り出される電力量、もしくはソーラー発電で発電した電力を売却することにより得られる収益のいずれか一方が指定されたか否かを判断する。これは、ソーラー発電仲介システム１０では、ソーラー発電による所望取得量Ｇｗ（発電量もしくは収益）を、各ソーラー発電システムＳの各区画Ｐの中からどのくらいの規模を入手すれば良いかの判断基準として設定していることによる。なお、図示は略すが、ステップＳ３においてステップＳ２へ戻る場合、入力用画面４０において取得量指定部４１への入力を促す旨の表示を行うことが望ましい。
【００４８】
ステップＳ４では、ステップＳ３での入力用画面４０の取得量指定部４１により所望取得量Ｇｗが指定されたとの判断に続き、記憶部２３に適合案件情報Ｉａが格納されているか否かを判断し、Ｙｅｓの場合はステップＳ６へ進み、Ｎｏの場合はステップＳ５へ進む。
【００４９】
ステップＳ５では、ステップＳ４での記憶部２３に各適合案件情報Ｉａが格納されていないとの判断に続き、登録された全てのソーラー発電システムＳの各区画Ｐを対象として上述した選別処理を行って、ステップＳ７へ進む。このステップＳ５では、記憶部２３に各適合案件情報Ｉａが格納されていないことから、登録された全てのソーラー発電システムＳの各区画Ｐを対象として、データベース部２１に格納される発電システム情報Ｉｓに基づいて、ステップＳ２で入力された各入力情報Ｉｉに適合する全ての適合案件情報Ｉａを生成（全ての複数の区画Ｐの組み合わせ（単独の区画Ｐ）の選択）する。そして、その選別処理により生成した各適合案件情報Ｉａを記憶部２３に格納する。
【００５０】
ステップＳ６では、ステップＳ４での記憶部２３に各適合案件情報Ｉａが格納されているとの判断に続き、記憶部２３に格納された各適合案件情報Ｉａとして選択された各ソーラー発電システムＳの各区画Ｐを対象として上述した選別処理を行って、ステップＳ７へ進む。このステップＳ６では、記憶部２３に各適合案件情報Ｉａが格納されていることから、その各適合案件情報Ｉａとして選択された各ソーラー発電システムＳの各区画Ｐを対象として、データベース部２１に格納される発電システム情報Ｉｓに基づいて、ステップＳ２で入力された各入力情報Ｉｉに適合する全ての適合案件情報Ｉａを生成（全ての複数の区画Ｐの組み合わせ（単独の区画Ｐ）の選択）する。そして、その選別処理により生成した適合案件情報Ｉａを記憶部２３に格納する。このとき、ステップＳ６では、既に記憶部２３に適合案件情報Ｉａが格納されていることから、その格納されていた適合案件情報Ｉａを削除してから、新たに適合案件情報Ｉａを記憶部２３に格納（上書き）する。なお、先に格納された適合案件情報Ｉａを前回のデータとして保存するとともに、新たな適合案件情報Ｉａを最新のデータとして格納するものであってもよい。
【００５１】
ステップＳ７では、ステップＳ５もしくはステップＳ６での選別処理に続き、その選別処理で生成した適合案件情報Ｉａを表す検索結果画面５０を、端末機３０の表示部３３に表示させて、ステップＳ８へ進む。このステップＳ７では、ステップＳ５もしくはステップＳ６での選別処理で生成した適合案件情報Ｉａを検索結果画面５０（図５から図７等参照）として端末機３０の表示部３３に表示させることにより、ステップＳ５もしくはステップＳ６での選別処理で生成した各適合案件情報Ｉａ（選別処理により選択した全ての複数の区画Ｐの組み合わせ（単独の区画Ｐ）の情報）の把握を容易なものとする。
【００５２】
ステップＳ８では、ステップＳ７での検索結果画面５０の表示に続き、端末機３０の入力部３２で各適合案件情報Ｉａのいずれか１つが最終選択されたか否かを判断し、Ｙｅｓの場合は仲介処理を終了し、Ｎｏの場合はステップＳ２へ戻る。このステップＳ８では、各適合案件情報Ｉａのいずれか１つが最終選択されると、その後にさらなる選別処理を行う必要がないことから、仲介処理を終了する。このとき、選択された適合案件情報Ｉａを端末機３０の表示部３３に表示させる構成とすることが望ましい。また、ステップＳ２へ戻る場合、端末機３０の端末制御部３１（図１参照）に対して、入力用画面４０（図３参照）をその表示部３３に表示させる。
【００５３】
次に、このソーラー発電仲介システム１０を用いて、入手側利用者の求めに合致する適合案件情報Ｉａ（複数の区画Ｐの組み合わせ）を得るまでの動作の一例を、図５から図７を用いて説明する。図５は、端末機３０の表示部３３における検索結果画面５０（５０１）の一例を示す説明図である。図６は、表示部３３における図５に示す状態から絞り込んだ後の検索結果画面５０（５０２）の一例を示す説明図である。図７は、表示部３３における図６に示す状態から絞り込んだ後の検索結果画面５０（５０３）の一例を示す説明図である。なお、以下で説明する例（図５から図７も同様である）では、理解容易のために、選別処理により生成した全ての適合案件情報Ｉａが、同一の地域内の同一の設置場所にある各ソーラー発電システムＳの各区画Ｐが組み合わされて構成されているものとしている。
【００５４】
このソーラー発電仲介システム１０では、入手側利用者が、端末機３０を用いて演算処理機２０（その演算制御部２２）にアクセスすると、図４のフローチャートのステップＳ１により、その端末機３０の表示部３３に入力用画面４０を表示させる。入手側利用者は、端末機３０の入力部３２を用いることで、入力用画面４０上で各入力情報Ｉｉを入力することができる。ここで、入力用画面４０における取得量指定部４１のみに入力し、ソーラー発電による所望取得量Ｇｗ（発電量または収益）のみを指定したものとする。
【００５５】
すると、図４のフローチャートにおいて、ステップＳ２→ステップＳ３→ステップＳ４→ステップＳ５へと進むことにより、発電システム情報Ｉｓに基づいて、入力された入力情報Ｉｉとしての所望取得量Ｇｗ（発電量または収益）に適合する各適合案件情報Ｉａを生成する。ここで、入力情報Ｉｉとして指定されたのが所望取得量Ｇｗのみであることから、生成した適合案件情報Ｉａが多数存在しているものとする。その後、図４のフローチャートにおいて、ステップＳ７へと進むことにより、生成した各適合案件情報Ｉａを示す検索結果画面５０を端末機３０の表示部３３に表示させる。この例では、生成した適合案件情報Ｉａが多数存在していることから、検索結果画面５０として図５に示す第１検索結果画面５０１を表示部３３に表示させる。この第１検索結果画面５０１は、生成した適合案件情報Ｉａが存在する地域としての都道府県を強調して示すことにより、当該都道府県の把握を可能としている。ここで、入手側利用者は、適合案件情報Ｉａが多数存在していることから最終選択することなく、入力部３２を用いて入力用画面４０上で地域指定部４３に入力し、さらなる入力情報Ｉｉとして山梨県（地域）を指定したものとする。
【００５６】
すると、図４のフローチャートにおいて、ステップＳ８→ステップＳ２→ステップＳ３→ステップＳ４→ステップＳ６へと進むことにより、第１検索結果画面５０１で示した適合案件情報Ｉａのうち、入力された入力情報Ｉｉとしての山梨県の中に存在するものを選択して、新たに適合案件情報Ｉａを生成する。すなわち、第１検索結果画面５０１で示した適合案件情報Ｉａのうち、山梨県の中に存在するものへの絞り込みを行う。ここで、入力情報Ｉｉとして指定されたのが所望取得量Ｇｗおよび地域のみであることから、生成した適合案件情報Ｉａが多数存在しているものとする。その後、図４のフローチャートにおいて、ステップＳ７へと進むことにより、生成した各適合案件情報Ｉａを示す検索結果画面５０を端末機３０の表示部３３に表示させる。この例では、生成した適合案件情報Ｉａが多数存在していることから、検索結果画面５０として図６に示す第２検索結果画面５０２を表示部３３に表示させる。この第２検索結果画面５０２は、選択した適合案件情報Ｉａが存在する設置場所としての市町村を強調して示すことにより、当該市町村の把握を可能としている。ここで、入手側利用者は、適合案件情報Ｉａが多数存在していることから最終選択することなく、入力部３２を用いて入力用画面４０上で予算指定部４２とメーカー指定部４４と契約タイプ指定部４５とに入力し、さらなる入力情報Ｉｉとして売却対象とされているものに対する予算とソーラーパネル１１の製造会社とを指定したものとする。
【００５７】
すると、図４のフローチャートにおいて、ステップＳ８→ステップＳ２→ステップＳ３→ステップＳ４→ステップＳ６へと進むことにより、第２検索結果画面５０２で示した適合案件情報Ｉａのうち、入力された入力情報Ｉｉとしての各条件に適合するものを選択して、新たに適合案件情報Ｉａを生成する。すなわち、第２検索結果画面５０２で示した適合案件情報Ｉａのうち、指定された予算内で売却対象とされており、かつ指定された製造会社のソーラーパネル１１を用いているものへの絞り込みを行う。ここで、入力情報Ｉｉとして指定された条件が多岐に渡ることから、生成した適合案件情報Ｉａが２つに絞れたものとする。その後、図４のフローチャートにおいて、ステップＳ７へと進むことにより、端末機３０の表示部３３に生成した各適合案件情報Ｉａを示す検索結果画面５０を表示させる。この例では、生成した適合案件情報Ｉａが２つ存在していることから、検索結果画面５０として図７に示す第３検索結果画面５０３を表示部３３に表示させる。この第３検索結果画面５０３は、選択した２つの適合案件情報Ｉａをそれぞれ模式図で示すことにより、各適合案件情報Ｉａの把握を可能としている。この例では、一方の適合案件情報Ｉａ（第１適合案件情報Ｉａ１）が、第１ソーラー発電システムＳ１の第１区画Ｐ１と第３ソーラー発電システムＳ３の第２区画Ｐ２との組み合わせとされており、他方の適合案件情報Ｉａ（第２適合案件情報Ｉａ２）が、第２ソーラー発電システムＳ２の第２区画Ｐ２と第３ソーラー発電システムＳ３の第３区画Ｐ３との組み合わせとされている。ここで、入手側利用者は、入力部３２を用いて第３検索結果画面５０３上で第１適合案件情報Ｉａ１を最終選択したものとする。すると、図４のフローチャートにおいてステップＳ８へと進むことにより、仲介処理が終了する。
【００５８】
上記した構成であることから、本実施例のソーラー発電仲介システム１０では、登録された各ソーラー発電システムＳの各区画Ｐの中から、複数の区画Ｐの組み合わせ（単独の区画Ｐ）を入手させることができるので、入手側利用者は住宅事情や所有している土地の有無および当該土地事情に関係なくソーラーパネル１１の設置場所を確保（入手）することができる。
【００５９】
また、ソーラー発電仲介システム１０では、登録されたソーラー発電システムＳの各区画Ｐの中から、複数の区画Ｐの組み合わせを入手させることができるので、入手側利用者は住宅事情や所有している土地の有無および当該土地事情に関係なくソーラーパネル１１の良好な設置面積や設置条件を得ることができる。このことは、例えば、屋根の大きさに対して過度な大きさや重量のソーラーパネルが設置されることに起因して屋根の破損を招くことを防止することに寄与することもできる。
【００６０】
さらに、ソーラー発電仲介システム１０では、各ソーラー発電システムＳの照射面（本実施例ではソーラーパネル１１）全体を一括して扱うのではなく、その区画Ｐ単位で扱うものであることから、入手側利用者の求め（ソーラー発電による所望取得量Ｇｗ）に極めて近い発電量もしくは収益（それを生み出すソーラー発電システム）を得ることを可能とすることができる。
【００６１】
ソーラー発電仲介システム１０では、登録された各ソーラー発電システムＳの各区画Ｐのうちの単複数の区画Ｐを適宜組み合わせたものの入手を可能とすることから、同等の面積のソーラーパネルを単独で設置することに比較して、設置面積を確保するためのコストやソーラーパネル１１の設置のためのコストを低減することができるので、入手側利用者が所望取得量Ｇｗに極めて近い発電量もしくは収益（それを生み出すソーラー発電システム）を安価に得ることを可能とすることができる。
【００６２】
ソーラー発電仲介システム１０では、提供側利用者が、所有するソーラー発電システムＳを区画Ｐ単位で提供することを可能とすることから、より大きなソーラー発電システムＳを設けた場合であっても、その大きなソーラー発電システムＳを一括で提供することと比較して、容易に提供先を見付けることができる。このため、提供側利用者（施主（所有者））が、より大きな（大掛かりな）ソーラー発電システムＳを設置することを、容易なものとすることができ、延いては単位面積当たりの単価の低減を図ることを容易なものとすることができる。
【００６３】
ソーラー発電仲介システム１０では、入手側利用者が、より大きな（大掛かりな）ソーラー発電システムＳの各区画Ｐを入手することができ、入手側利用者の求め（ソーラー発電による所望取得量Ｇｗ）に極めて近い発電量もしくは収益（それを生み出すソーラー発電システム）をより安価に得ることを可能とすることができる。
【００６４】
ソーラー発電仲介システム１０では、入手側利用者が所有するソーラー発電システムＳを区画Ｐ単位で入手することを可能とするので、ソーラー発電システムＳの規模に拘らず入手側利用者が求める分だけを入手させることができる。
【００６５】
ソーラー発電仲介システム１０では、端末機３０を用いて演算処理機２０（その演算制御部２２）にアクセスし、その後に端末機３０の入力部３２を用いて所望取得量Ｇｗを指定するだけで、それに極めて近い発電量もしくは収益（それを生み出すソーラー発電システム）を得ることが可能であることから、ソーラー発電システムＳの専門的な知識を必要とすることなく、単複数の区画Ｐを組み合わせたものを簡単かつ適切に入手側利用者に入手させることができる。
【００６６】
ソーラー発電仲介システム１０では、端末機３０の入力部３２を用いて指定する所望取得量Ｇｗとして、ソーラー発電により創り出される電力量、もしくはソーラー発電で発電した電力を売却することにより得られる収益が設定されていることから、ソーラー発電システムＳの専門的な知識を必要とすることなく、より直感的に入手したい規模を入手側利用者に指定させることができる。
【００６７】
ソーラー発電仲介システム１０では、発電システム情報Ｉｓの設置位置情報Ｉｌにおけるソーラー発電システムＳ（ソーラーパネル１１）が設置された地域や、その地域内での設置場所における日射量や日照時間のデータと、発電システム情報Ｉｓの設置機器情報Ｉｍにおけるソーラーパネル１１の面積のデータと、に基づいて予測発電量（予測収益）を求め、その予測発電量（予測収益）を合算した値が所望取得量Ｇｗ（発電量または収益）に極めて近くなる単複数の区画Ｐの組み合わせを算出するので、入手側利用者が所望取得量Ｇｗに極めて近い発電量もしくは収益（それを生み出すソーラー発電システム）を安価に得ることを可能とすることができる。
【００６８】
ソーラー発電仲介システム１０では、発電システム情報Ｉｓの設置位置情報Ｉｌにおけるソーラー発電システムＳ（ソーラーパネル１１）が設置された地域や、その地域内での設置場所における日射量や日照時間のデータと、発電システム情報Ｉｓの設置機器情報Ｉｍにおけるソーラーパネル１１の面積のデータと、発電システム情報Ｉｓの設置機器情報Ｉｍにおけるソーラーパネル１１の製造会社、定格値および使用年数のデータと、パワコン１２の製造会社のデータと、ソーラーパネル１１の設置状態情報（そのデータ）と、を適宜勘案して予測発電量（予測収益）を求め、その予測発電量（予測収益）を合算した値が所望取得量Ｇｗ（発電量または収益）に極めて近くなる単複数の区画Ｐの組み合わせを算出するので、入手側利用者が所望取得量Ｇｗに極めて近い発電量もしくは収益（それを生み出すソーラー発電システム）を安価に得ることを可能とすることができる。
【００６９】
ソーラー発電仲介システム１０では、提供側利用者（施主（所有者））は、自らが所有するソーラー発電システムＳの各区画Ｐの発電システム情報Ｉｓを演算処理機２０のデータベース部２１に登録（格納）するだけで、各区画Ｐを適宜入手側利用者に提供することが可能であることから、簡易に各区画Ｐ延いてはソーラー発電システムＳを提供することができる。
【００７０】
ソーラー発電仲介システム１０では、入手側利用者は、端末機３０の入力部３２を用いて入手するための予算を指定することで、指定した予算の範囲内で、予測発電量を合算した値が所望取得量Ｇｗとして指定された発電量と可能な限り近くなる、もしくは予測収益を合算した値が所望取得量Ｇｗとして指定された収益と可能な限り近くなる適合案件情報Ｉａ（複数の区画Ｐの組み合わせの情報）を入手することができるので、より効率良く所望取得量Ｇｗに近い発電量もしくは収益（それを生み出すソーラー発電システム）を安価に得ることを可能とすることができる。
【００７１】
したがって、本発明に係るソーラー発電仲介システム１０では、ソーラー発電による所望の取得量（所望取得量Ｇｗ）を得ることを可能とすることができる。
【００７２】
なお、上記した実施例では、本発明に係るソーラー発電仲介システムについて説明したが、太陽エネルギーから電力を創り出す場所および施設の提供側と入手側との仲介を行うソーラー発電仲介システムであって、前記提供側が所有する複数のソーラー発電システムの照射面に設定された区画毎のソーラー発電による予測取得量に関する取得量データを格納するデータベース部と、該データベース部からの前記取得量データの取得が可能であるとともに、前記入手側のソーラー発電による所望取得量が指定される端末機との通信が可能な演算制御部と、を備え、該演算制御部は、前記端末機で前記所望取得量が指定されると、前記データベース部の前記取得量データに基づいて、前記各ソーラー発電システムの前記各区画の中から、合算した前記予測取得量が前記所望取得量に適合する前記各区画の組み合わせを算出するソーラー発電仲介システムであればよく、上記した実施例に限定されるものではない。
【００７３】
また、上記した実施例では、ソーラー発電システムＳにおいて、光エネルギーを直接電力に変換する電力機器である太陽電池（セル）で構成されたソーラーパネル１１を用いるものとしていたが、太陽エネルギーを電力に変換するものであれば、他の方法により太陽光を電力に変換するものであってもよく、太陽光と併せて太陽からの熱エネルギーを電力に変換するものであってもよく、上記した実施例に限定されるものではない。
【００７４】
さらに、上記した実施例では、ソーラーパネル１１（併せてパワコン１２、電力計１３および出力線１４）が設置された各ソーラー発電システムＳ（その照射面の各区画Ｐ）を登録としていたが、ソーラーパネルの設置のための設置構造のみが設けられているものをソーラー発電システム（その照射面の各区画Ｐ）として登録してもよく、上記した実施例に限定されるものではない。この場合、例えば、当該設置構造に設置可能なソーラーパネル（その設置面積）に基づいてソーラー発電システムＳにおける照射面を規定することができ、その照射面において各区画Ｐを設定することができる。このため、当該設置構造が規定する照射面の各区画Ｐの面積を設置機器情報Ｉｍとしてデータベース部２１に格納し、その格納された面積に基づいて平均的な発電量（収益）から予測取得量Ｇｐを求めることで、ソーラー発電仲介システム１０における提供側（検索対象）としてのソーラー発電システムＳとして取り扱うことができる。このような構成とすると、例えば、入手側利用者は、所望の大きさの区画Ｐにおける設置構造を入手した後、その入手した区画Ｐの設置構造に所望の製造会社のソーラーパネル（およびパワコン）を設置することができるので、より細やかに入手側利用者の希望に沿う単複数の区画Ｐの組み合わせを入手することができる。また、このような構成とした場合、例えば、設置機器情報Ｉｍとして、ソーラーパネル１１（パワコン１２）の製造会社に関連付けて、製造会社毎のソーラーパネル１１（パワコン１２）の単価および各区画Ｐの設置構造への当該ソーラーパネル１１（パワコン１２）の設置費用の情報を併せてデータベース部２１に格納することにより、入手側利用者が指定した予算内で、ソーラーパネル１１（パワコン１２）を設置してソーラー発電システムＳを構築することまでを考慮した所望の大きさの区画Ｐにおける設置構造を入手させることができる。
【００７５】
上記した実施例では、ソーラーパネル１１（併せてパワコン１２、電力計１３および出力線１４）が設置された各ソーラー発電システムＳ（その照射面の各区画Ｐ）を登録していたが、ソーラー発電システム（ソーラーパネル）を設置するための土地や建物の屋根（屋上）をソーラー発電システム（その照射面の各区画Ｐ）として登録してもよく、上記した実施例に限定されるものではない。この場合、例えば、当該土地や建物の屋根（屋上）により設置可能なソーラーパネルの面積（設置可能面積）が決定されるので、その設置可能面積に基づいてソーラー発電システムＳにおける照射面を規定し各区画Ｐを設定することができる。このため、照射面としての各区画Ｐの設置可能面積を設置機器情報Ｉｍとしてデータベース部２１に格納し、その格納された面積（設置可能面積）に基づいて平均的な発電量（収益）から予測取得量Ｇｐを求めることで、ソーラー発電仲介システム１０における提供側（検索対象）としてのソーラー発電システムＳとして取り扱うことができる。このような構成とすると、例えば、入手側利用者は、所望の設置可能面積の区画Ｐを入手した後、その入手した区画Ｐに所望の設置構造とともに所望の製造会社のソーラーパネル（およびパワコン）を設置することができるので、より細やかに入手側利用者の希望に沿う単複数の区画Ｐの組み合わせを入手することができる。また、このような構成とすると、例えば、提供側利用者は、何らの設備投資を行うことなく、自らが所有する土地や建物の屋根（屋上）をソーラー発電システムＳの設置のために利用することができる。さらに、このような構成とすると、上述した屋根貸し業者は、ソーラー発電仲介システム１０における入手側利用者となることで、ソーラー発電システムＳを設置するための建物の屋根（屋上）を探して入手することができ、ソーラー発電仲介システム１０における提供側利用者となることで、設置する権利を取得している建物の屋根（屋上）に設置したソーラー発電システムＳ（ソーラーパネルが設置されている場合も設置構造を設けた場合も何も設けられていない屋根（屋上）である場合も含む）を提供することができる。ついで、このような構成とした場合、例えば、設置機器情報Ｉｍとして、ソーラーパネル１１（パワコン１２）の製造会社に関連付けて、各区画Ｐへの設置構造の設置費用、製造会社毎のソーラーパネル１１（パワコン１２）の単価およびその当該設置構造への設置費用の情報を併せてデータベース部２１に格納することにより、入手側利用者が指定した予算内で、設置構造を設けてソーラーパネル１１（パワコン１２）を設置してソーラー発電システムＳを構築することまでを考慮した所望の大きさ（設置可能面積）の区画Ｐを入手させることができる。加えて、例えば、同一のソーラー発電システムＳの照射面としての土地や建物の屋根（屋上）内で複数の隣接する区画Ｐを入手する場合を想定して、当該複数の区画Ｐの各設置可能面積を合算した総設置可能面積に対しても、設置機器情報Ｉｍとして、ソーラーパネル１１（パワコン１２）の製造会社に関連付けて、製造会社毎のソーラーパネル１１（パワコン１２）の単価、各区画Ｐへの設置構造の設置費用および当該設置構造への設置費用の情報を併せてデータベース部２１に格納することにより、入手側利用者が指定した予算内で、より大きなソーラー発電システムＳを構築することまでを考慮した所望の大きさ（設置可能面積）の区画Ｐを入手させることができる。
【００７６】
上記した実施例では、検索結果画面５０の一例として、図５の第１検索結果画面５０１、図６の第２検索結果画面５０２および図７の第３検索結果画面５０３を示したが、演算制御部２２の選別処理により生成した各適合案件情報Ｉａ（選択した全ての複数の区画Ｐの組み合わせ（単独の区画Ｐ））の把握を可能とするものであれば、例えば、物件名等の情報を文字で羅列するものであってもよく、各適合案件情報Ｉａの写真を表示するものであってもよく、上記した実施例に限定されるものではない。
【００７７】
上記した実施例では、入手側利用者の入力による仲介処理の一例として、入力情報Ｉｉとして指定された条件の量、すなわち絞り込みの段階に応じて、端末機３０の表示部３３に、図５の第１検索結果画面５０１、図６の第２検索結果画面５０２および図７の第３検索結果画面５０３を順次表示させる例を示したが、例えば、最初の入力部３２での入力により入力情報Ｉｉとして複数の条件を指定しても良いことは言うまでもない。ここで、その条件が多岐に渡ることにより一気に絞り込むことができ、その各条件に適合すべく生成した適合案件情報Ｉａが少ない場合には、直接第３検索結果画面５０３を表示させるものであってもよく、上記した実施例に限定されるものではない。
【００７８】
以上、本発明のソーラー発電仲介システムを実施例に基づき説明してきたが、具体的な構成については実施例に限られるものではなく、本発明の要旨を逸脱しない限り、設計の変更や追加等は許容される。また、前記構成部材の数、位置、形状等は実施例に限定されず、本発明を実施する上で好適な数、位置、形状等にすることができる。
【符号の説明】
【００７９】
１０  ソーラー発電仲介システム
１１  ソーラーパネル
２１  データベース部
２２  演算制御部
３０  端末機
Ｇｐ  予測取得量
Ｇｗ  所望取得量
Ｉｌ  設置位置情報
Ｉｍ  設置機器情報
Ｉｓ  発電システム情報
Ｐ  区画
Ｓ  ソーラー発電システム
【図１】
2014016756.tif 000003
【図２】
2014016756.tif 000004
【図３】
2014016756.tif 000005
【図４】
2014016756.tif 000006
【図５】
2014016756.tif 000007
【図６】
2014016756.tif 000008
【図７】
2014016756.tif 000009